【手続補正書】
【提出日】平成18年5月16日(2006.5.16)
【手続補正１】
【補正対象書類名】特許請求の範囲
【補正対象項目名】請求項６
【補正方法】変更
【補正の内容】
【請求項６】
コンテンツが収納された、外観から識別可能な収納媒体を撮影する撮影手段と、
前記撮影手段によって得られた撮影画像データを前記収納媒体の識別情報として取得する取得手段と、
前記収納媒体の識別情報と前記コンテンツに対応するコンテンツデータとを関連付けて記憶する記憶手段と、
前記コンテンツデータによって、前記コンテンツを再生表示する再生表示手段と、
前記再生表示手段に再生表示された前記コンテンツからコンテンツを指定する指定手段と、
前記指定手段によって指定された前記コンテンツのコンテンツデータを用いて前記記憶手段を検索して、前記指定された前記コンテンツのコンテンツデータと合致する前記コンテンツデータを検出する検出手段と、
前記検出手段によって検出された前記コンテンツデータと関連付けられて記憶されている前記収納媒体の識別情報を前記記憶手段から読み出す読出手段と、
前記読出手段によって読み出された前記収納媒体の識別情報によって、前記収納媒体の撮影画像を再生表示する画像表示手段と、を有するコンテンツ表示システム。
【手続補正２】
【補正対象書類名】明細書
【補正対象項目名】００５９
【補正方法】変更
【補正の内容】
【００５９】
次に、図２（Ｂ）を参照して、記録媒体Ｍの記録内容の参照時における、コンテンツ表示システム１０ａの作用について説明する。
記録媒体Ｍtに記録された内容（コンテンツＣt）を参照したい場合には、まず、参照したい記録媒体Ｍtの外観の少なくともラベルＬｔを含む部分が、携帯機器１６によって撮影され、記録処理情報Ｄ１t’としてホームサーバ１２に伝送される。制御部２０では、携帯機器１６から伝送された記録処理情報Ｄ１t’から、ラベルＬｔにプリントされたコードや文字等の認識が行われ、得られたコード／文字認識結果データと、記憶部１８に記憶されている記録処理情報Ｄ１群とが比較されて、記録処理情報Ｄ１t’のコード／文字認識結果データに該当する記録処理情報Ｄ１（すなわちＤ１t）が検出される。
【手続補正３】
【補正対象書類名】明細書
【補正対象項目名】００９４
【補正方法】変更
【補正の内容】
【００９４】
ホームサーバ１２の記憶部１８には、既に、複数のコンテンツ概要データＩ、記録処理情報Ｄ１および記録媒体Ｍの識別情報Ｄ２のデータが蓄積されているものとする。
記録媒体Ｍの探索時には、ユーザによる指示入力手段４４から、コンテンツ概要の表示を指示する指示入力がされることにより、ホームサーバ１２のモニタ４２に、記憶部１８に記憶されているコンテンツ概要データＩ群が一覧表示される。次に、指示入力手段４４によって特定のコンテンツＣtの概要データＩｔが指定されると、制御部２０は、そのコンテンツ概要データＩtと対応する記録処理情報Ｄ１tを記憶部１８から検出し、記録処理情報Ｄ１tとセットにされている識別情報Ｄ２tを読み出して、携帯機器１６に伝送する。
【手続補正４】
【補正対象書類名】明細書
【補正対象項目名】００９７
【補正方法】変更
【補正の内容】
【００９７】
携帯機器１６の表示部４６には、撮影された記録媒体Ｍ1、Ｍ2、Ｍtの撮影シーン中に、目的とする記録媒体Ｍtと合致することを示すマークを合成表示する。例えば、表示部４６に、記録媒体Ｍ1、Ｍ2、Ｍtの各撮影画像が順次表示される場合には、目的の記録媒体Ｍtが表示されたときに、合致を示すマークが表示されるか音声等で通知されればよい。また、図７（Ａ）に示すように、表示部４６に表示された複数の記録媒体Ｍ1、Ｍ2、Ｍtのうち、合致するものにマークが表示されてもよい。また、図７（Ｂ）に示すように、棚に並べてある複数の記録媒体Ｍが一括して撮影された場合などには、その画像中の合致する記録媒体Ｍtに矢印や囲みのマーク等が表示されればよい。
【手続補正５】
【補正対象書類名】明細書
【補正対象項目名】０１０２
【補正方法】変更
【補正の内容】
【０１０２】
したがって、上記の例のように、特定のコンテンツＣtのコンテンツ概要データＩtが指定されると、ホームサーバ１２の制御部２０では、このコンテンツ概要データＩtに対応する記録処理情報Ｄ１tが記憶部１８から検出され、一方、携帯機器１６によって、記録媒体Ｍ1、Ｍ2、Ｍt等のラベルＬ1、Ｌ2、Ｌt等が撮影されることにより記録処理情報Ｄ１1’、Ｄ１2’、Ｄ１t’等が得られて、記録処理情報Ｄ１1、Ｄ１2、Ｄ１t等が取得される。そして、ホームサーバ１２の制御部２０または携帯機器１６の制御部２６において、画像認識（パターンマッチング）が行われることにより、記録処理情報Ｄ１tと合致するラベルＬtを有する記録媒体Ｍtが検出される。
【手続補正６】
【補正対象書類名】明細書
【補正対象項目名】０１１９
【補正方法】変更
【補正の内容】
【０１１９】
図１２は、コンテンツ表示システム５０において、新たなプリントＡ4がプリンタ５４から出力され、既にプリントＡ1〜Ａ3が収納されている収納ファイルＢに新たなプリントＡ4が追加される場合の、収納ファイルＢの登録方法を示している。
図１２（Ａ）に示すように、プリントＡ4が出力されると、記録処理情報Ｄ１2が生成されて記憶部５８に記憶される。また、プリンタ５４から出力されたプリントＡ4が、既にプリントＡ1〜Ａ3が収納されている収納ファイルＢ1に収納されると、図１２（Ｂ）に示すように、携帯機器５６によって収納ファイルＢ1が撮影されて、その識別情報Ｄ２１がプリンタサーバ５２に伝送される。
【手続補正７】
【補正対象書類名】明細書
【補正対象項目名】０１２０
【補正方法】変更
【補正の内容】
【０１２０】
プリンタサーバ５２の制御部６０は、収納ファイルＢ1の識別情報Ｄ２1を受信し、この識別情報Ｄ２1が既に記憶部５８に記憶されている識別情報Ｄ２1と合致することを認識すると、画像データＤ（Ａ4）の記録処理情報Ｄ１2と画像データＤ（Ａ1）〜Ｄ（Ａ3）の記録処理情報Ｄ１1との両方が、識別情報Ｄ２1とセットとされて、記憶部５８に記憶される。これにより、収納ファイルＢ1の識別情報Ｄ２1とプリントＡ1〜Ａ4の画像データが関連付けられて記憶される。
【手続補正８】
【補正対象書類名】明細書
【補正対象項目名】０１２８
【補正方法】変更
【補正の内容】
【０１２８】
携帯機器５６においては、プリンタサーバ５２から送られた収納ファイルの識別情報Ｄ２ｔを、その表示部に単に表示してもよいし、探索対象となる複数の収納ファイルＢを携帯機器５６によって撮影し、携帯機器５６またはプリンタサーバ５２において画像認識（パターンマッチング）を行うことにより、携帯機器５６によって撮影された複数の収納ファイルＢのうち、目的の収納ファイルＢｔに合致するものを検出して、携帯機器５６の表示部またはプリンタサーバ５２のモニタに、目的の収納ファイルＢtが区別されるように表示してもよい。
【手続補正９】
【補正対象書類名】明細書
【補正対象項目名】０１３３
【補正方法】変更
【補正の内容】
【０１３３】
収納ケースＦ1に物品Ｅ4が追加されるときは、図１５（Ｂ）に示すように、収納ケースＦ1の撮影画像データＤ（Ｆ1）と、追加される物品Ｅ4の画像データＤ（Ｅ4）とが、携帯機器８６によって取得され、ホームサーバ８２に伝送される。
ホームサーバ８２では、撮影画像データＤ（Ｆ1）が、記憶部８８に既に記憶されている撮影画像データＤ（Ｆ1）と合致することを認識し、撮影画像データＤ（Ｅ4）を、既に影画像データＤ（Ｆ1）に関連付けて記憶されている撮影画像データＤ（Ｅ1）〜Ｄ（Ｅ3）とセットにして記憶する。
【手続補正１０】
【補正対象書類名】明細書
【補正対象項目名】０１３４
【補正方法】変更
【補正の内容】
【０１３４】
収納ケースＦ1から、物品Ｅ4が抜き出されるときは、携帯機器８６またはホームサーバ８２で、削除モードに設定された状態で、図１５（Ｃ）に示すように、収納ケースＦ1の撮影画像データＤ（Ｆ1）と、抜き出される物品Ｅ4の画像データＤ（Ｅ4）とが、携帯機器８６によって取得され、ホームサーバ８２に伝送される。
ホームサーバ８２では、削除モードで撮影画像データＤ（Ｆ1）を受信することにより、削除対象が撮影画像データＤ（Ｆ1）であることを認識し、続いて受信した画像データＤ（Ｅ4）に合致する画像データＤ（Ｅ）を撮影画像データＤ（Ｆ1）の関連データの中から検出して、該当データを削除する。
【手続補正１１】
【補正対象書類名】明細書
【補正対象項目名】０１３７
【補正方法】変更
【補正の内容】
【０１３７】
また、物品Ｅtが手元に無く、物品Ｅtが収納されている収納ケースＦtを探索したい場合には、その探索および探索結果の表示は、上述の図６〜図９に示して説明した方法と同様の方法により行うことができる。すなわち、ホームサーバ８２の記憶部８８に記憶されている物品Ｅ群を、携帯機器８６またはホームサーバ８２に接続されたモニタ（図示しない）に表示し、ユーザによって物品Ｅｔが指定されることによって、その物品Ｅtの撮影画像データＤ（Ｅt）を基にホームサーバ８２において検索を行い、検索結果として、該当する収納ケースＦtの撮影画像を携帯機器８６またはホームサーバ８２のモニタに、他の収納ケースＦと識別できるように表示するようにすればよい。
【手続補正１２】
【補正対象書類名】明細書
【補正対象項目名】０１３９
【補正方法】変更
【補正の内容】
【０１３９】
以上のように、本発明の第７の実施形態によれば、収納ケースを撮影することで、その収納ケースに収納された物品の内容を確認できる。また、物品を撮影またはホームサーバ８２において選択することで、その物品がどの収納ケースに収納されているかを簡単に知ることができる。また、同一の収納ケースへの物品の追加や取り出しにも簡単な操作で対応できるので、物品の収納管理を簡単かつ正確に行うことができる。
【手続補正１３】
【補正対象書類名】図面
【補正対象項目名】図２
【補正方法】変更
【補正の内容】
【図２】
2005284367.tif 000001